(57)【要約】【課題】本発明は、操作が易く、安定的な接続を実現する多方向入力装置を提供することを目的とする。【解決手段】本発明の多方向入力装置は、ケースと、前記ケースに装着される回路基板と、接触端子が設けられる可動部材と、前記可動部材を駆動する駆動部材と、押圧面が設けられる押圧部材と、前記駆動部材と連接し、前記押圧部材を駆動する操作部材と、前記操作部材を中間位置に復元させる復元部材と、前記復元部材に装着され、受圧面が設けられる保持部と、を備える。前記操作部材が周囲の任意方向に向かって操作される時、前記押圧部材の押圧面は前記保持部の受圧面に沿って移動するとともに、前記駆動部が移動し、前記可動部材の接触端子が前記回路基板に移動する。【選択図】図６
2016021385.tif 000002
【特許請求の範囲】
【請求項１】
ケースと、
前記ケースに装着される回路基板と、
接触端子が設けられる可動部材と、
前記可動部材を駆動する駆動部材と、
押圧面が設けられる押圧部材と、                 
前記駆動部材と連接し、前記押圧部材を駆動する操作部材と、
前記操作部材を中間位置に復元させる復元部材と、
前記復元部材に装着され、受圧面が設けられる保持部と、
を備え、前記操作部材が周囲の任意方向に向かって操作される時、前記押圧部材の押圧面は前記保持部の受圧面に沿って移動するとともに、前記駆動部材が移動し、前記可動部材の接触端子が前記回路基板に移動することを特徴とする多方向入力装置。
【請求項２】
前記受圧面が上向きに傾斜する傾斜状或いは弧状に形成され、前記押圧部材には下向きに延在する押圧柱が設けられ、前記押圧面は、前記押圧柱の底部に前記受圧面に対応する傾斜面或いは弧形面のように設置され、前記操作部材が周囲の任意方向に向かって操作される時前記復元部材が縮むことを特徴とする請求項１に記載の多方向入力装置。
【請求項３】
前記ケースが弧状の上壁を有し、前記保持部は、前記押圧部材と前記復元部材との間に配置され、前記受圧面から下向きに傾斜し、前記ケースの上壁に対応する傾斜状或いは弧状の連接面と、前記連接面から延在して下向きに折り曲げられ、前記復元部材を規制する規制部と、を有することを特徴とする請求項２に記載の多方向入力装置。
【請求項４】
前記押圧部材は弧状の上部を有し、前記ケースは、開口部が形成される弧状の上壁を有し、前記操作部材は、前記開口部から突出する操作部と、前記開口部をシールするカバーと、を備えることを特徴とする請求項１に記載の多方向入力装置。
【請求項５】
前記可動部材は直交するように一対で設置され、各可動部材にはスロットが形成され、前記駆動部材は、前記一対の可動部材のスロットに順番に挿入する駆動部を有し、前記駆動部材及び前記操作部材の一方には、ボール状の係合部が設けられ、他方には、前記係合部と係合する係合溝が形成されることを特徴とする請求項１に記載の多方向入力装置。
【発明の詳細な説明】
【技術分野】
【０００１】
本発明は、多方向入力装置に関し、特に、周囲の任意方向に操作される操作部材の操作により各種信号の入力を行う多方向入力装置に関するものである。
【背景技術】
【０００２】
特許文献１に掲示される従来技術の多方向入力装置は、天板部に開口部、及び側壁部に円形状の開口部が設けられるケースと、前記ケース内で互いの回動中心軸が直交し、且つ回動自在に支持される第一及び第二可動部材であって、前記ケースの前記側壁部の前記開口部に回動可能に収容される回動軸部と、該回動軸部の先端に設けられるとともに、前記ケースの前記側壁部側から外部に突出する突起と、を備えている前記第一及び第二回動部材と、周囲の任意方向に操作されることにより前記第一可動部材と第二可動部材とを回動させる操作部材と、前記操作部材を中立位置に自動復元させる復元部材と、前記復元部材を装着するスライダと、前記第一可動部材及び前記第二可動部材の前記突起と係合するとともに、前記第一及び第二可動部材の回動角度に対応して信号を出力する一組の信号出力手段と、を含む。前記ケースの底部には、前記第二可動部材を支持するための支持部が突出するように形成されるとともに、前記支持部と第二回動部材との間の接触面が円柱面である。
【０００３】
特許文献２に掲示される従来技術の多方向入力装置は、軸部が設けられる操作部材と、前記操作部材に取り付けられる復元部材と、操作部材の軸部に装着される一対の可動部材と、を備える。前記操作部材を操作することによって、一対の可動部材は水平的に移動する。可動部材に設けられる接触部は、回路基板と接続する。水平方向に沿って変形する復元部材は前記軸部を中間位置まで復元する。
【先行技術文献】
【特許文献】
【０００４】
【特許文献１】日本実用新案第３１５６２９１号公報
【特許文献２】中国特許公開第１０３６３２８７７号公報
【発明の概要】
【発明が解決しようとする課題】
【０００５】
特許文献１に掲示される第２回転部材は前記復元部材を装着するスライダの上表面に沿ってスライドする。前記第１回転部材及び第２回転部材は、上下方向及び水平方向に運動する。このような第１回転部材及び第２回転部材が信号出力手段と接触することは不安定になる。特許文献２に掲示される操作部材は予定の水平方向の距離に移動する。操作が不便になる。
【０００６】
そこで本発明は、上述される従来技術の問題に鑑み、操作が易く、安定的な接続を実現する多方向入力装置を提供することを目的とする。
【課題を解決するための手段】
【０００７】
前記目的を達成するために、本発明の多方向入力装置は、ケースと、前記ケースに装着される回路基板と、接触端子が設けられる可動部材と、前記可動部材を駆動する駆動部材と、押圧面が設けられる押圧部材と、前記駆動部材と連接し、前記押圧部材を駆動する操作部材と、前記操作部材を中間位置に復元させる復元部材と、前記復元部材に装着され、受圧面が設けられる保持部と、を備える。前記操作部材が周囲の任意方向に向かって操作される時、前記押圧部材の押圧面は前記保持部の受圧面に沿って移動するとともに、前記駆動部が移動し、前記可動部材の接触端子が前記回路基板に移動する。
【発明の効果】
【０００８】
従来技術と比べると、本発明は以下の長所を有する。前記一対の可動部材は、押圧されなく、水平方向だけに沿って移動する。前記接触端子と回路基板の間の接続は、安定になる。前記操作部材が回転する時、押圧部材の押圧面は前記保持部の受圧面に沿って移動し、前記駆動部が移動し、前記可動部材の接触端子が前記回路基板に移動する。操作部材が予定の距離で移動することの代わりに、所定の角度で回転することによって、所定の接続を実現できる。この操作は易しい。
【図面の簡単な説明】
【０００９】
【図１】本発明の多方向入力装置の組立斜視図である。
【図２】図１に示す多方向入力装置の部分の分解斜視図である。
【図３】図２に示す多方向入力装置の分解斜視図である。
【図４】図１に示す多方向入力装置の押圧部材及び保持部材の斜視図である。
【図５】図１に示す押圧されない時の多方向入力装置のＡ−Ａ線に沿う断面図である。
【図６】図１に示す多方向入力装置が押圧される時のＡ−Ａ線に沿う断面図である。
【発明を実施するための形態】
【００１０】
図１〜図５を参照すると、本発明の多方向入力装置１００は、ケース１と、前記ケース１に装着される回路基板２と、直交するように配置される一対の可動部材５と、前記可動部材５を駆動する駆動部材８と、押圧部材３と、前記駆動部材８と連接し、前記押圧部材３を駆動する操作部材４と、前記操作部材４を中間位置に復元させる復元部材６と、前記復元部材６に装着され、受圧面７４が設けられる保持部７と、を備える。
【００１１】
前記ケース１は、絶縁性本体１０と、開口部１２０が形成される弧状の上壁１２と、底壁１１と、を有する。絶縁性本体１０には、複数の保持壁１０１が設けられる。
【００１２】
各可動部材５は、基部５１１と、基部５１１に形成されるスロット５１２と、基部５１１に設けられる接触端子５１３と、を備える。
【００１３】
前記駆動部材８は、駆動部８１と、ボール状の係合部８２と、を有する。
【００１４】
前記押圧部材３は、弧状の上部３１と、前記上部３１から下向きに延在する押圧柱３２と、前記押圧柱３２の底部に傾斜面或いは弧形面のように設置される押圧面３３と、を有する。
【００１５】
前記保持部７は、上向きに傾斜する傾斜状或いは弧状に形成される受圧面７４と、前記受圧面７４から下向きに傾斜する傾斜状或いは弧状の連接面７３と、前記連接面７３から延在して下向きに折り曲げられ、前記復元部材６を規制する規制部７１と、を有する。
【００１６】
前記操作部材４は、前記開口部１２０から突出する操作部４１と、前記開口部１２０をシールするカバー４２と、前記カバー４２から下向きに延在する延在部４３１と、を備える。前記駆動部材８及び前記延在部４３１の一方には、ボール状の係合部８２が設けられ、他方には、前記係合部８２と係合する係合溝４３１が形成される。
【００１７】
図５に示すように、前記多方向入力装置１００を組み立てる時、前記回路基板２は、前記ケース１に装着される。一対の可動部材５は、前記複数の保持壁１０１によって形成されるスペースに直交するように配置される。前記駆動部材８の駆動部８１は、一対の可動部材５のスロット５１２に順番に挿入される。前記復元部材６は、前記保持壁１０１の周囲に取り付けられる。前記保持部７は、前記押圧部材３と前記復元部材６との間に配置される。ケース１の上壁１２と底壁１１とは、絶縁性本体１０に取り付けられる。前記操作体４の操作部４１が前記開口部１２０から突出し、３６０度回転できる。カバー４２が、前記開口部１２０をシールする。前記係合溝４３１が前記係合部８２と係合する。
【００１８】
図６を参照すると、前記操作部材４が周囲の任意方向に向かって回転する時、前記押圧部材３の押圧面３３は、前記保持部７の受圧面７４に沿って移動するとともに、前記駆動部８１が移動し、前記可動部材５の接触端子５１３が前記回路基板２に移動する。前記操作部材４の操作角度及び操作量によって、一対の接触端子５１３は、回路基板２の異なる位置で届き、異なる信号が出力する。前記操作部材４のリリース時、前記復元部材６によって、前記押圧部材３の押圧面３３は、前記保持部７の受圧面７４に沿って戻って、前記操作部材４を中間位置に復元させる。
【００１９】
前記押圧部材３の押圧面３３は、前記保持部７の受圧面７４に沿って移動する。操作部材４の回転操作及び復元操作は、順調になる。
【００２０】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２１】
１００  多方向スイッチ
１０１  保持壁
１  ケース
１０  絶縁性本体
１１  底壁
１２  上壁
１２０  開口部
２  回路基板
３  押圧部材
３１  上部
３２  押圧柱
３３  押圧面
４  操作部材
４１  操作部
４２  カバー
４３  延在部
４３１  係合溝
５  可動部材
５１１  基部
５１２  スロット
５１３  接触端子
６  復元部材
７  保持部
７１  規制部
７３  連接面
７４  受圧面
８  駆動部
８１    軸部
８２  係合部
【図１】
2016021385.tif 000003
【図２】
2016021385.tif 000004
【図３】
2016021385.tif 000005
【図４】
2016021385.tif 000006
【図５】
2016021385.tif 000007
【図６】
2016021385.tif 000008